(57)【特許請求の範囲】
【請求項１】
什器陳列物品を陳列する物品陳列什器であって、
前記什器陳列物品が載置される平板状の什器天板と、
接合されている前記什器天板の下面から側面の外側を通過して上面より上方まで延設されているフェンス部材と、
前記什器天板と前記フェンス部材とを接合する係合部材と、
を有し、
前記什器天板は、前記什器陳列物品が載置される天板上面と、前記天板上面に下方から対向する天板下面と、を有し、
前記什器天板の前記側面を構成する側縁部は、前記天板上面に対して下方に曲折するように形成され、
前記係合部材は、前記側縁部の下端に固定された前端部と、前記天板下面に固定された後端部と、前記前端部と前記後端部との間に設けられ、前記側縁部の前記下端より上方かつ前記天板下面より下方に配置された部材下面と、を有し、
前記フェンス部材は、フェンス固定手段により前記部材下面に固定されている
物品陳列什器。
【請求項２】
前記什器天板は、前記天板上面と前記天板下面とに連続している天板側面、が形成されており、
前記フェンス部材は、前記天板下面に接合されている下部部材、前記天板側面に対向して前記天板上面より上方まで突出する上突部材、前記下部部材と前記上突部材とを連結している部材連結手段、が形成されており、
前記フェンス固定手段は、前記フェンス部材の前記下部部材を前記什器天板の天板下面に固定している請求項１に記載の物品陳列什器。
【請求項３】
前記フェンス部材の下部部材が係合する下部係合凹部が前記什器天板の天板下面に形成されている請求項２に記載の物品陳列什器。
【請求項４】
前記フェンス部材の下部部材は、前記下部係合凹部に係合する形状に形成されており、
前記什器天板の下部係合凹部は、前記下部部材が係合する形状に形成されている請求項３に記載の物品陳列什器。
【請求項５】
前記部材連結手段は、前記下部係合凹部に固定された前記下部部材から前記天板下面より下方まで突出する下突部材、前記下突部材に連続して前記天板側面より側方まで突出する側突部材、を有しており、
前記上突部材は、前記側突部材に連続している請求項４に記載の物品陳列什器。
【請求項６】
前記下部部材は金属製の平板で形成されており、
前記下突部材と前記側突部材と前記上突部材とは金属製の線材で形成されている請求項５に記載の物品陳列什器。
【請求項７】
前記フェンス固定手段は、手動操作で前記下部部材を前記天板下面に着脱自在に固定する手動固定部材からなる請求項２ないし６の何れか一項に記載の物品陳列什器。
【請求項８】
前記手動固定部材は、ユリアネジとローレットボルトとチョウネジとの少なくとも一つからなり、
前記什器天板は、前記手動固定部材が螺合されるネジ穴が前記天板下面に形成されている請求項７に記載の物品陳列什器。
【請求項９】
前記什器天板は中空構造に形成されており、
中空構造の前記什器天板に内蔵されたナットに前記ネジ穴が形成されている請求項８に記載の物品陳列什器。
【請求項１０】
什器陳列物品が載置される天板上面と、前記天板上面に下方から対向する天板下面と、を有する平板状の什器天板であって、前記什器天板の側面を構成する側縁部が、前記天板上面に対して下方に曲折するように形成された什器天板と、前記側縁部の下端に固定された前端部と、前記天板下面に固定された後端部と、前記前端部と前記後端部との間に設けられ、前記側縁部の前記下端より上方かつ前記天板下面より下方に配置された部材下面と、を有する係合部材と、を備える物品陳列什器に装着されるフェンス部材であって、
接合される前記什器天板の下面から前記側面の外側を通過して前記天板上面より上方まで延設され、
フェンス固定手段により前記部材下面に固定されているフェンス部材。
【発明の詳細な説明】
【技術分野】
【０００１】
本発明は、什器陳列物品を陳列する物品陳列什器、および、このような物品陳列什器のフェンス部材、に関する。
【背景技術】
【０００２】
現在、各種店舗などで販売製品などの什器陳列物品が、外周形態の物品陳列什器で陳列されている。このような物品陳列什器としては、平板状の什器天板の天板上面に、複数の什器陳列物品を載置して陳列するものが一般的である。
【０００３】
このような物品陳列什器では、什器天板の天板上面に載置されている什器陳列物品の落下を防止するため、什器天板の天板上面の外周にフェンス部材が装着されることがある。
【０００４】
しかし、このようなフェンス部材が装着されていると、物品陳列什器の設置の作業性や、物品陳列什器への什器陳列物品の陳列の作業性などが、阻害されることがある。
【０００５】
そこで、上述のようなフェンス部材を什器天板などに着脱自在とした物品陳列什器がある。このような物品陳列什器としては、例えば、平面形状が矩形の什器天板の四隅にフェンス保持金具を装着しておき、このフェンス保持金具でフェンス部材の下部両端を着脱自在に保持するものがある(特許第３６５６２０４号)。
【０００６】
また、平面形状が矩形の什器天板の天板上面の外周四辺に複数の小孔を連設しておき、これらの小孔にフェンス部材から下方に突出している支柱の下端を着脱自在に挿入させて保持させるものもある(特許第３４７５３４６号)。
【０００７】
さらに、平面形状が矩形の什器天板の四隅に、例えば、矩形の上面開口の中空の支柱を配置しておき、これら四隅の支柱の各々に四個のフェンス保持支柱を上方から着脱自在に装着するとともに、これらフェンス保持支柱にフェンス部材を着脱自在に装着するものもある(特開２０００−１３９６３９号公報)。
【先行技術文献】
【特許文献】
【０００８】
【特許文献１】特許第３６５６２０４号
【特許文献２】特許第３４７５３４６号
【特許文献３】特開２０００−１３９６３９号公報
【発明の概要】
【発明が解決しようとする課題】
【０００９】
上述のような各種の物品陳列什器は、フェンス部材を着脱することができるので、物品陳列什器の設置の作業性や、物品陳列什器への什器陳列物品の陳列の作業性などを、向上させることができる。
【００１０】
しかし、特許文献１の物品陳列什器では、フェンス部材が装着されていない状態では、什器天板の四隅にフェンス保持金具があるため、このフェンス保持金具が物品陳列什器の外観を損なうことになる。
【００１１】
また、特許文献２の物品陳列什器では、フェンス部材が装着されていない状態では、什器天板の天板上面の外周四辺に複数の小孔が露出するため、この小孔が物品陳列什器の外観を損なうことになる。
【００１２】
さらに、特許文献３の物品陳列什器では、フェンス部材が装着されていない状態では、什器天板の四隅の支柱の上面開口が露出するため、この支柱の上面開口が物品陳列什器の外観を損なうことになる。
【００１３】
本発明は上述のような課題に鑑みてなされたものであり、着脱自在なフェンス部材が装着されていない状態でも、外観が損なわれることがない物品陳列什器、この物品陳列什器のフェンス部材、を提供するものである。
【課題を解決するための手段】
【００１４】
本発明の物品陳列什器は、什器陳列物品を陳列する物品陳列什器であって、什器陳列物品が載置される平板状の什器天板と、接合されている什器天板の下面から側面の外側を通過して上面より上方まで延設されているフェンス部材と、什器天板とフェンス部材とを接合する係合部材と、を有する。什器天板は、什器陳列物品が載置される天板上面と、天板上面に下方から対向する天板下面と、を有し、什器天板の側面を構成する側縁部は、天板上面に対して下方に曲折するように形成され、係合部材は、側縁部の下端に固定された前端部と、天板下面に固定された後端部と、前端部と後端部との間に設けられ、側縁部の下端より上方かつ天板下面より下方に配置された部材下面と、を有し、フェンス部材は、フェンス固定手段により部材下面に固定されている。
【００１５】
従って、本発明の物品陳列什器では、什器天板の上面に什器陳列物品が載置されて陳列される。また、フェンス部材は、接合されている什器天板の下面から側面の外側を通過して上面より上方まで延設されているので、什器天板の上面に載置された什器陳列物品の落下を防止できる。
【００１６】
上述のような物品陳列什器において、什器天板は、天板上面と天板下面とに連続している天板側面、が形成されており、フェンス部材は、天板下面に接合される下部部材、天板側面に対向して天板上面より上方まで突出する上突部材、下部部材と上突部材とを連結している部材連結手段、が形成されており、フェンス固定手段は、フェンス部材の下部部材を什器天板の天板下面に固定していてもよい。
【００１７】
このような物品陳列什器では、フェンス部材は、下部部材が天板下面にフェンス固定手段で固定される。この下部部材に部材連結手段で連結されている上突部材が、天板上面より上方まで突出する。このため、什器天板の天板上面に載置された什器陳列物品の落下が、フェンス部材の上突部材により防止される。
【００１８】
上述のような物品陳列什器において、フェンス部材の下部部材が係合する下部係合凹部が什器天板の天板下面に形成されていてもよい。このような物品陳列什器では、什器天板の天板下面に形成されている下部係合凹部にフェンス部材の下部部材が係合する。このため、什器天板にフェンス部材が適正な位置に簡単に配置される。
【００１９】
上述のような物品陳列什器において、フェンス部材の下部部材は、下部係合凹部に係合する形状に形成されており、什器天板の下部係合凹部は、下部部材が係合する形状に形成されていてもよい。このような物品陳列什器では、フェンス部材の下部部材が什器天板の下部係合凹部に係合するので、什器天板にフェンス部材が適切に配置される。
【００２０】
上述のような物品陳列什器において、部材連結手段は、下部係合凹部に固定された下部部材から天板下面より下方まで突出する下突部材と、下突部材に連続して天板側面より側方まで突出する側突部材と、を有しており、上突部材は、側突部材に連続していてもよい。
【００２１】
このような物品陳列什器では、下突部材が下部係合凹部に固定された下部部材から天板下面より下方まで突出し、この下突部材に連続する側突部材が天板側面より側方まで突出し、この側突部材に上突部材が連続する。このため、什器天板の下部係合凹部の内部から、天板下面と天板側面とを介して天板上面より上方まで、フェンス部材が連続する。
【００２２】
上述のような物品陳列什器において、下部部材は金属製の平板で形成されており、下突部材と側突部材と上突部材とは金属製の線材で形成されていてもよい。
【００２３】
このような物品陳列什器では、金属製の平板で形成されている下部部材に、金属製の線材で形成されている下突部材と側突部材と上突部材とが、溶接などで接合されてフェンス部材が形成される。
【００２４】
上述のような物品陳列什器において、フェンス固定手段は、手動操作で下部部材を天板下面に着脱自在に固定する手動固定部材からなってもよい。このような物品陳列什器では、下部部材が天板下面に手動固定部材の手動操作で固定されるので、下部部材を天板下面に固定するために工具が必要ない。
【００２５】
上述のような物品陳列什器において、手動固定部材は、ユリアネジとローレットボルトとチョウネジとの少なくとも一つからなり、什器天板は、手動固定部材が螺合されるネジ穴が天板下面に形成されていてもよい。
【００２６】
このような物品陳列什器では、天板下面に形成されているネジ穴に、ユリアネジとローレットボルトとチョウネジとの少なくとも一つからなる手動固定部材が、手動操作で螺合される。
【００２７】
上述のような物品陳列什器において、什器天板は中空構造に形成されており、中空構造の什器天板に内蔵されたナットにネジ穴が形成されていてもよい。このような物品陳列什器では、什器天板に簡単な構造でネジ穴が適切に形成される。
【００２８】
本発明のフェンス部材は、什器陳列物品が載置される天板上面と、天板上面に下方から対向する天板下面と、を有する平板状の什器天板であって、什器天板の側面を構成する側縁部が、天板上面に対して下方に曲折するように形成された什器天板と、側縁部の下端に固定された前端部と、天板下面に固定された後端部と、前端部と後端部との間に設けられ、側縁部の下端より上方かつ天板下面より下方に配置された部材下面と、を有する係合部材と、を備える物品陳列什器に装着されるフェンス部材であって、接合されている什器天板の下面から側面の外側を通過して天板上面より上方まで延設され、フェンス固定手段により部材下面に固定されている。
【００２９】
従って、本発明のフェンス部材では、接合されている什器天板の下面から側面の外側を通過して上面より上方まで延設されているので、什器天板の上面に載置された什器陳列物品の落下を防止できる。
【００３０】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００３１】
本発明の物品陳列什器では、什器天板の上面に什器陳列物品が載置されて陳列される。フェンス部材は、接合されている什器天板の下面から側面の外側を通過して上面より上方まで延設されているので、什器天板の上面に載置された什器陳列物品の落下を防止できる。フェンス部材の固定が什器天板の下面で実行されるので、フェンス部材が装着されていない状態でも装着機構などが目視されることがなく、物品陳列什器の外観が損なわれることがない。
【図面の簡単な説明】
【００３２】
【図１】本発明の実施の形態の物品陳列什器の要部の組立構造を示す模式的な分解斜視図である。
【図２】物品陳列什器の要部の外観を示す模式的な斜視図である。
【図３】物品陳列什器の全体の外観を示す模式的な斜視図である。
【図４】物品陳列什器の要部の組立構造を示す模式的な縦断側面図である。
【図５】一の変形例の物品陳列什器の要部の組立構造を示す模式的な分解斜視図である。
【図６】物品陳列什器の要部の外観を示す模式的な斜視図である。
【図７】物品陳列什器の要部の組立構造を示す模式的な縦断側面図である。
【図８】他の変形例の物品陳列什器の要部の組立構造を示す模式的な分解斜視図である。
【発明を実施するための形態】
【００３３】
本発明の実施の一形態に関して図１ないし図４を参照して以下に説明する。なお、本実施の形態では図示するように上下方向だけでなく前後左右の方向も規定して説明する。しかし、これは構成要素の相対関係を簡単に説明するために便宜的に規定するものである。従って、本発明を実施する製品の製造時や使用時の方向を限定するものではない。
【００３４】
本実施の形態の物品陳列什器１０００は、什器陳列物品(図示せず)を陳列するものであり、図示するように、什器天板１１００と、フェンス部材１２００と、フェンス固定手段であるユリアネジ１２３０と、を有する。
【００３５】
什器天板１１００は、什器陳列物品が載置される平板状に形成されている。フェンス部材１２００は、接合されている什器天板１１００の天板下面１１１１から天板側面１１１５の外側を通過して天板上面１１１４より上方まで延設されている。
【００３６】
より詳細には、什器天板１１００は、什器陳列物品が載置される天板上面１１１４と、天板上面１１１４に下方から対向する天板下面１１１１と、天板上面１１１４と天板下面１１１１とに連続している天板側面１１１５と、が形成されている。
【００３７】
フェンス部材１２００は、天板下面１１１１に接合される下部部材１２２０と、天板側面１１１５に対向して天板上面１１１４より上方まで突出する上突部材１２１４と、下部部材１２２０と上突部材１２１４とを連結している部材連結手段と、が形成されている。
【００３８】
より具体的には、図１に示すように、フェンス部材１２００は、平面形状が左右方向に細長い金属板材で下部部材１２２０が形成されており、この下部部材１２２０の後部が下部係合凸部１２２２として上方にリブ状に曲折されている。
【００３９】
図４に示すように、什器天板１１００は曲折された金属板材からなり、やはり曲折された金属板材からなる係合部材１１１２が天板下面１１１１に装着されている。この係合部材１１１２は、その部材下面１１１７が天板下面として形成されている。
【００４０】
この係合部材１１１２は、上述のような下部部材１２２０の下部係合凸部１２２２が係合するように、後部がフェンス係合後部１１１６として上方に曲折されている。このように係合部材１１１２のフェンス係合後部１１１６に、下部部材１２２０の下部係合凸部１２２２が係合することにより、什器天板１１００にフェンス部材１２００が適切な位置に配置される。
【００４１】
本実施の形態の物品陳列什器１０００では、図３に示すように、平面形状が矩形の什器天板１１００の四辺の各々に、八個のフェンス部材１２００が二個ずつ配置される。このため、什器天板１１００とフェンス部材１２００とは、図１および図２に示すように、一つの係合部材１１１２に二個の下部部材１２２０が長手方向に連続に配置される。
【００４２】
なお、図２および図４に示すように、係合部材１１１２の部材下面１１１７は、什器天板１１００の側縁部の下面より上方に位置している。このため、前述の部材連結手段は、図１および図２に示すように、係合部材１１１２に固定された下部部材１２２０から天板下面１１１１より下方まで突出する下突部材１２１２と、下突部材１２１２に連続して天板側面１１１５より側方まで突出する側突部材１２１３と、を有している。
【００４３】
そして、上突部材１２１４は、側突部材１２１３に連続している。このように連続する下突部材１２１２と側突部材１２１３と上突部材１２１４とで、側面形状がＪ字状のフェンス支持部材１２１１が形成されている。
【００４４】
フェンス部材１２００は、左右方向に三個のフェンス支持部材１２１１が形成されており、その上端が左右方向に直線状のフェンス上部部材１２１５で連結されているとともに、これより下方の位置が左右方向に直線状のフェンス補強部材１２１６で連結されている。
【００４５】
このため、フェンス部材１２００は、上述のようなフェンス支持部材１２１１とフェンス上部部材１２１５とフェンス補強部材１２１６とは金属製の線材で格子状に形成されており、これらでフェンス本体部材１２１０が形成されている。
【００４６】
下部部材１２２０は金属製の平板で形成されており、上述のように金属製の線材からなるフェンス本体部材１２１０の下突部材１２１２が溶接などで接合されている。なお、このようにフェンス本体部材１２１０を形成する金属製の線材は、中密構造の金属線でも中空構造の金属管でもよい。
【００４７】
図１に示すように、什器天板１１００は、ユリアネジ１２３０が螺合されるネジ穴１１１３が天板下面１１１１に形成されている。より詳細には、図４に示すように、什器天板１１００は曲折された金属板で中空構造に形成されており、この中空構造の什器天板１１００に内蔵されて溶接されたナット１１１８にネジ穴１１１３が形成されている。
【００４８】
また、フェンス部材１２００の下部部材１２２０には、什器天板１１００のネジ穴１１１３に対応した両端近傍に、ユリアネジ１２３０が挿通される貫通孔１２２１が形成されている。
【００４９】
ユリアネジ１２３０は、フェンス部材１２００の下部部材１２２０を什器天板１１００の天板下面１１１１に固定するが、手動操作で下部部材１２２０を天板下面１１１１に着脱自在に固定する手動固定部材からなる。
【００５０】
なお、図３に示すように、本実施の形態のフェンス部材１２００では、什器天板１１００の天板上面１１１４の中央部に、照明や小棚などの備品１１３０が設置されている。
【００５１】
上述のような構成において、本実施の形態のフェンス部材１２００では、前述のように什器天板１１００の天板上面１１１４に、什器陳列物品が載置されて陳列される(図示せず)。
【００５２】
本実施の形態のフェンス部材１２００では、図１および図４(ａ)に示すように、フェンス部材１２００の下部部材１２２０が、什器天板１１００の天板下面１１１１にユリアネジ１２３０で固定される。
【００５３】
すると、図２および図４（ｂ）に示すように、この下部部材１２２０に連結されている上突部材１２１４が、天板上面１１１４より上方まで突出する。このため、什器天板１１００の天板上面１１１４に載置された什器陳列物品の落下を上突部材１２１４により防止することができる。
【００５４】
さらに、本実施の形態の物品陳列什器１０００では、什器天板１１００の天板下面１１１１にユリアネジ１２３０で固定されるフェンス部材１２００の下部部材１２２０を着脱することができる。このため、物品陳列什器１０００の設置の作業性や、物品陳列什器１０００への什器陳列物品の陳列の作業性などを、向上させることができる。
【００５５】
それでいて、本実施の形態の物品陳列什器１０００では、ユリアネジ１２３０によるフェンス部材１２００の固定が天板下面１１１１で実行されるので、フェンス部材１２００が装着されていない状態でも、ユリアネジ１２３０による装着機構が目視されることがなく、物品陳列什器１０００の外観が損なわれることがない。
【００５６】
しかも、上述のように什器天板１１００にフェンス部材１２００を簡単に着脱することができるので、例えば、図３に示すように、平面形状が矩形の什器天板１１００の四辺の各々に、八個のフェンス部材１２００を二個ずつ配置してもよく、その一部を省略してもよい。
【００５７】
また、フェンス部材としてデザインが相違する複数種類を用意しておき、什器陳列物品の種類などに対応して所望によりフェンス部材を選択的に什器天板１１００に装着してもよい(図示せず)。
【００５８】
しかも、本実施の形態の物品陳列什器１０００では、什器天板１１００の天板下面１１１１に接合されている係合部材１１１２にフェンス部材１２００の下部部材１２２０が係合する。このため、什器天板１１００にフェンス部材１２００を適正な位置に簡単に配置することができる。
【００５９】
特に、係合部材１１１２の上方に曲折されたフェンス係合後部１１１６に、下部部材１２２０の上方に曲折された下部係合凸部１２２２が係合するので、什器天板１１００にフェンス部材１２００を適切に配置することができる。
【００６０】
それでいて、下突部材１２１２が係合部材１１１２に固定された下部部材１２２０から天板下面１１１１より下方まで突出し、この下突部材１２１２に連続する側突部材１２１３が天板側面１１１５より側方まで突出し、この側突部材１２１３に上突部材１２１４が連続する。
【００６１】
このため、什器天板１１００の係合部材１１１２の内部から、天板下面１１１１と天板側面１１１５とを介して天板上面１１１４より上方まで、フェンス部材１２００が連続する。
【００６２】
しかも、下部部材１２２０は金属製の平板で形成されており、下突部材１２１２と側突部材１２１３と上突部材１２１４とは金属製の線材で形成されている。
【００６３】
このため、金属製の平板で形成されている下部部材１２２０に、金属製の線材で形成されている下突部材１２１２と側突部材１２１３と上突部材１２１４とを溶接などで接合することで、三次元構造のフェンス部材１２００を簡単に形成することができる。
【００６４】
さらに、本実施の形態の物品陳列什器１０００では、下部部材１２２０を天板下面１１１１にユリアネジ１２３０の手動操作で着脱自在に固定する。このため、下部部材１２２０を天板下面１１１１に固定するために工具が必要ないので、その作業性が良好で下部部材１２２０を天板下面１１１１に簡単に着脱することができる。
【００６５】
しかも、本実施の形態の物品陳列什器１０００では、ユリアネジ１２３０が螺合されるネジ穴１１１３が什器天板１１００の天板下面１１１１に形成されている。このため、下部部材１２２０を什器天板１１００にユリアネジ１２３０で簡単に固定することができ、下部部材１２２０を装着していない什器天板１１００の天板下面１１１１から部品などが突出することもない。
【００６６】
さらに、本実施の形態の物品陳列什器１０００では、中空構造の什器天板１１００に内蔵されたナット１１１８にネジ穴１１１３が形成されている。このため、什器天板１１００に簡単な構造でネジ穴１１１３を適切に形成することができる。
【００６７】
なお、本発明は本実施の形態に限定されるものではなく、その要旨を逸脱しない範囲で各種の変形を許容する。例えば、上記形態では什器天板１１００の天板下面１１１１に接合されている係合部材１１１２の上方に曲折されたフェンス係合後部１１１６に、フェンス部材１２００の下部部材１２２０の上方に曲折された下部係合凸部１２２２が係合することを例示した。
【００６８】
しかし、図５ないし図７に例示する物品陳列什器３０００のように、フェンス部材３２００は、平面形状が左右方向に細長い矩形の平板状に下部部材３２２０が形成されており、什器天板３１００は、矩形の下部部材３２２０が係合する形状に、下部係合凹部３１１２が天板下面１１１１に形成されていてもよい。
【００６９】
この下部係合凹部３１１２は、その内部後面に下部部材３２２０の後面が係合し、その内部前面と下部部材３２２０の前面とは所定間隔を介して対向する形状に形成されている。
【００７０】
また、図６および図７(ｂ)に示すように、下部係合凹部３１１２の上下方向の深さは、下部部材３２２０の上下方向の板厚より大きい。このため、前述の部材連結手段は、下部係合凹部３１１２に固定された下部部材３２２０から天板下面１１１１より下方まで突出する下突部材１２１２と、下突部材１２１２に連続して天板側面１１１５より側方まで突出する側突部材１２１３と、を有している。
【００７１】
このフェンス部材３２００でも、ユリアネジ１２３０によるフェンス部材３２００の固定が天板下面１１１１で実行されるので、フェンス部材３２００が装着されていない状態でも、ユリアネジ１２３０による装着機構が目視されることがなく、物品陳列什器１０００の外観が損なわれることがない。
【００７２】
特に、フェンス部材３２００の下部部材３２２０が什器天板３１００の下部係合凹部３１１２に係合し、平面形状が長方形状の下部部材３２２０の後面が下部係合凹部３１１２の内部後面に当接するので、什器天板３１００にフェンス部材３２００を適切に配置することができる。
【００７３】
また、上記形態では什器天板１１００の天板下面１１１１に係合部材１１１２が形成されており、この係合部材１１１２にフェンス部材１２００の下部部材１２２０が係合することを例示した。
【００７４】
しかし、図８に例示する物品陳列什器２０００のように、什器天板２１００の天板下面２１１１が平面からなり、そこにフェンス部材２２００の下部部材２２２０が接合されていてもよい。
【００７５】
このようなフェンス部材２２００の下部部材２２２０も、什器天板２１００のネジ穴２１１３に対応した両端近傍に、ユリアネジ１２３０が挿通される貫通孔２２２１が形成されていればよい。
【００７６】
また、上記形態ではフェンス部材１２００のフェンス本体部材１２１０が、下部部材１２２０から下方に突出した下突部材１２１２と、この下突部材１２１２から側方に突出した側突部材１２１３と、この側突部材１２１３から上方に突出した上突部材１２１４と、からなることを例示した。
【００７７】
しかし、図８に例示する物品陳列什器２０００のように、フェンス部材２２００の平板状の下部部材２２２０の前縁から上方に、平板状のフェンス本体部材２２１０が直接に連続していてもよい。
【００７８】
さらに、上記形態では、下部部材１２２０は金属製の平板で形成されており、下突部材１２１２と側突部材１２１３と上突部材１２１４とは金属製の線材で形成されていることを例示した。
【００７９】
しかし、図８に例示する物品陳列什器２０００のように、フェンス部材２２００の平板状の下部部材２２２０と平板状のフェンス本体部材２２１０とが金属板のプレス部品などで形成されていてもよく、樹脂の成型品などで形成されていてもよい。
【００８０】
また、上記形態ではフェンス固定手段である手動固定部材がユリアネジ１２３０からなることを例示した。しかし、このような手動固定部材が、ローレットボルトやチョウネジからなってもよい。
【００８１】
さらに、上記形態では中空構造の什器天板１１００にナットが内蔵されることでネジ穴１１１３が形成されていることを例示した。しかし、金属板などの中密構造の高剛性な什器天板２１００にネジ穴２１１３が直接に形成されており、このネジ穴２１１３にユリアネジ１２３０が締結されていてもよい。
【００８２】
また、上記形態では、図３に示すように、平面形状が矩形の什器天板１１００の四辺の各々に、八個のフェンス部材１２００が二個ずつ配置されることを例示した。しかし、平面形状が多角形の什器天板の辺縁に、フェンス部材が一個ずつ配置されてもよく、三個以上ずつ配置されてもよい(図示せず)。
【００８３】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００８４】
１０００    物品陳列什器
１１００    什器天板
１１１１    天板下面
１１１２    係合部材
１１１３    ネジ穴
１１１４    天板上面
１１１５    天板側面
１１１７    天板下面である部材下面
１２００    フェンス部材
１２１２    下突部材
１２１３    側突部材
１２１４    上突部材
１２２０    下部部材
１２３０    フェンス固定手段であり手動固定部材であるユリアネジ
２０００    物品陳列什器
２１００    什器天板
２１１１    天板下面
２１１３    ネジ穴
２２００    フェンス部材
２２２０    下部部材
３０００    物品陳列什器
３１００    什器天板
３１１２    下部係合凹部
３２００    フェンス部材
３２２０    下部部材
【図１】
0005953052.tif 000002
【図２】
0005953052.tif 000003
【図３】
0005953052.tif 000004
【図４】
0005953052.tif 000005
【図５】
0005953052.tif 000006
【図６】
0005953052.tif 000007
【図７】
0005953052.tif 000008
【図８】
0005953052.tif 000009